【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
自装置にローカル接続された第一のデバイスの状態変化を監視するためのトリガ検知アルゴリズム及び／又は定義ファイルに基づいて、当該第一のデバイスを監視するデバイス監視手段と、
前記デバイス監視手段によって、前記第一のデバイスの状態変化を検知した場合、当該検知を示すトリガ通知を、ネットワークを介して接続されている情報管理装置に送信するトリガ通知送信手段と、
前記トリガ通知を受信した情報管理装置からの接続要求に応じて当該情報管理装置との第１のセッションを開始する第１のセッション制御手段と、
前記状態変化を検知した第一のデバイスから前記第１のセッションを介してユーザを特定するための固有情報であるユーザＩＤを取得するユーザＩＤ取得手段と、
前記ユーザＩＤ取得手段で取得した前記ユーザＩＤを前記第１のセッションを介して前記情報管理装置に対して送信するユーザＩＤ送信手段と、
前記ユーザＩＤと関連付けられた制御情報であって、ネットワークを介して接続されているクライアント装置を識別するための第一の識別情報及び当該クライアント装置が制御する第二のデバイスを識別するための第二の識別情報を含んだ制御情報を、前記情報管理装置から取得する制御情報取得手段と、
前記制御情報取得手段で取得した制御情報の第一の識別情報によって識別したクライアント装置に対して、当該制御情報の第二の識別情報を含んだ接続要求を生成して送信する接続要求手段と、
前記接続要求を受信したクライアント装置からの接続開始要求に応じて、当該クライアント装置との第２のセッションの制御を開始する第２のセッション制御手段と
を備えることを特徴とするデバイス制御装置。
【請求項２】
前記デバイス監視手段は、前記第一のデバイスに対して前記ユーザＩＤの取得操作が実行されたときの状態変化を検知すること
を特徴とする請求項１に記載のデバイス制御装置。
【請求項３】
前記接続要求手段は、前記制御情報に前記第一の識別情報が複数含まれている場合、当該第一の識別情報で識別されたクライアント装置それぞれに対して、前記接続要求を送信すること
を特徴とする請求項１に記載のデバイス制御装置。
【請求項４】
自装置にローカル接続されたデバイスの個体を識別するためのデバイス個体情報を取得するデバイス個体情報取得手段と、
前記デバイス個体情報取得手段で取得したデバイス個体情報を、前記情報管理装置に対して送信するデバイス個体情報送信手段と、
前記デバイス個体情報を受信した前記情報管理装置から、当該デバイス個体情報で識別される前記第一のデバイスの状態変化を監視するための前記トリガ検知アルゴリズム及び／又は定義ファイルを取得する監視情報取得手段と、を更に備えること
を特徴とする請求項１に記載のデバイス制御装置。
【請求項５】
デバイスがローカル接続されているデバイス制御装置に、ネットワークを介して接続されている情報管理装置であって、
ユーザを特定するための固有情報であるユーザＩＤと関連付けられた制御情報であって、前記ネットワークを介して接続されているクライアント装置を識別するための第一の識別情報及び当該クライアント装置が制御する第二のデバイスを識別するための第二の識別情報を含んだ制御情報を記憶している制御情報記憶手段と、
前記デバイスの状態変化を検知した前記デバイス制御装置から当該状態変化の検知を示すトリガ通知を受信するトリガ通知受信手段と、
前記トリガ通知受信手段によって受信された前記トリガ通知に応じて、前記デバイス制御装置とのセッションを開始するセッション制御手段と、
前記デバイス制御装置とのセッションを介して、前記ローカル接続されているデバイスからユーザを特定するための固有情報であるユーザＩＤを取得するユーザＩＤ取得手段と、
前記制御情報記憶手段に記憶されている制御情報の中から、前記ユーザＩＤ取得手段によって取得された前記ユーザＩＤに関連付けられている制御情報を検索する制御情報検索手段と、
前記制御情報検索手段で検索した前記制御情報の前記第二の識別情報で識別されるデバイスが接続されているデバイス制御装置に対して、当該制御情報を送信する制御情報送信手段と、を備えること
を特徴とする情報管理装置。
【請求項６】
前記デバイス制御装置から、当該デバイス制御装置にローカル接続されたデバイスの個体を識別するためのデバイス個体情報を取得するデバイス個体情報取得手段と、
前記デバイスの状態変化を監視するためのトリガ検知アルゴリズム及び定義ファイルの少なくとも一方を１つ以上記憶している監視情報記憶手段と、
前記監視情報記憶手段に記憶された前記トリガ検知アルゴリズム及び前記定義ファイルの少なくとも一方の中から、前記デバイス個体情報取得手段で取得した前記デバイス個体情報によって識別される特定のデバイスに適う前記トリガ検知アルゴリズム及び前記定義ファイルの少なくとも一方を特定する監視情報特定手段と、
前記監視情報特定手段によって特定された前記トリガ検知アルゴリズム及び前記定義ファイルの少なくとも一方を前記デバイス制御装置に送信する監視情報送信手段と、を更に備えること
を特徴とする請求項５に記載の情報管理装置。
【請求項７】
請求項１乃至４の何れか１項に記載のデバイス制御装置と、請求項５又は６に記載の情報管理装置と、クライアント装置とがネットワークを介して接続されたデバイス制御システムにおいて、
前記クライアント装置は、
前記デバイス制御装置から接続要求を受信した場合、
当該受信した接続要求に含まれる第二の識別情報によって識別したデバイスを直接接続されているようにシミュレートするとともに、当該識別したデバイスが接続されているデバイス制御装置に対してセッションを開始するための接続開始要求を送信し、
前記接続開始要求を送信したデバイス制御装置とセッションが開始されると、当該デバイス制御装置を介して前記識別したデバイスとデータ送受信すること
を特徴とするデバイス制御システム。
【請求項８】
デバイス監視手段が自装置にローカル接続された第一のデバイスの状態変化を監視するためのトリガ検知アルゴリズム及び／又は定義ファイルに基づいて、当該第一のデバイスを監視するデバイス監視ステップと、
トリガ通知送信手段が前記デバイス監視ステップにおいて、前記第一のデバイスの状態変化を検知した場合、当該検知を示すトリガ通知を、ネットワークを介して接続されている情報管理装置に送信するトリガ通知送信ステップと、
第１のセッション制御手段が前記トリガ通知を受信した情報管理装置からの接続要求に応じて当該情報管理装置との第１のセッションを開始する第１のセッション制御ステップと、
ユーザＩＤ取得手段が前記状態変化を検知した第一のデバイスからユーザを特定するための固有情報であるユーザＩＤを前記第１のセッションを介して取得するユーザＩＤ取得ステップと、
ユーザＩＤ送信手段が前記ユーザＩＤ取得ステップで取得した前記ユーザＩＤを前記情報管理装置に対して送信するユーザＩＤ送信ステップと、
制御情報取得手段が前記ユーザＩＤと関連付けられた制御情報であって、ネットワークを介して接続されているクライアント装置を識別するための第一の識別情報及び当該クライアント装置が制御する第二のデバイスを識別するための第二の識別情報を含んだ制御情報を、前記情報管理装置から取得する制御情報取得ステップと、
接続要求手段が前記制御情報取得ステップで取得した制御情報の第一の識別情報によって識別したクライアント装置に対して、当該制御情報の第二の識別情報を含んだ接続要求を生成して送信する接続要求ステップと、
第２のセッション制御手段が前記接続要求を受信したクライアント装置からの接続開始要求に応じて、当該クライアント装置との第２のセッションの制御を開始する第２のセッション制御ステップと
を備えたデバイス制御方法。
【請求項９】
前記デバイス監視ステップにおいて、前記第一のデバイスに対して前記ユーザＩＤの取得操作が実行されたときの状態変化を検知すること
を特徴とする請求項８に記載のデバイス制御方法。
【請求項１０】
前記接続要求ステップにおいて、前記制御情報に前記第一の識別情報が複数含まれている場合、当該第一の識別情報で識別されたクライアント装置それぞれに対して、前記接続要求を送信すること
を特徴とする請求項８に記載のデバイス制御方法。
【請求項１１】
デバイス個体情報取得手段がデバイス個体情報を取得するデバイス個体情報取得ステップと、
デバイス個体情報送信手段が前記デバイス個体情報取得ステップで取得したデバイス個体情報を、ネットワークを介して接続されている情報管理装置に対して送信するデバイス個体情報送信ステップと、
監視情報取得手段が前記デバイス個体情報を受信した前記情報管理装置から、当該デバイス個体情報で識別される前記第一のデバイスの状態変化を監視するための前記トリガ検知アルゴリズム及び／又は定義ファイルを取得する監視情報取得ステップと、を更に備えること
を特徴とする請求項８に記載のデバイス制御方法。
【請求項１２】
デバイスがローカル接続されているデバイス制御装置に、ネットワークを介して接続されている情報管理装置における制御方法であって、
トリガ通知受信手段が前記デバイスの状態変化を検知した前記デバイス制御装置から当該状態変化の検知を示すトリガ通知を受信するトリガ通知受信ステップと、
セッション制御手段が前記トリガ通知受信ステップによって受信された前記トリガ通知に応じて、前記デバイス制御装置とのセッションを開始するセッション制御ステップと、
ユーザＩＤ取得手段が前記デバイス制御装置とのセッションを介して、前記ローカル接続されているデバイスからユーザを特定するための固有情報であるユーザＩＤを取得するユーザＩＤ取得ステップと、
制御情報検索手段が自装置の情報記憶手段に記憶されている制御情報の中から、前記ユーザＩＤ取得ステップによって取得された前記ユーザＩＤに関連付けられている制御情報であって、前記ネットワークを介して接続されているクライアント装置を識別するための第一の識別情報及び当該クライアント装置が制御する第二のデバイスを識別するための第二の識別情報を含んだ制御情報を検索する制御情報検索ステップと、
制御情報送信手段が前記制御情報検索ステップで検索した前記制御情報の前記第二の識別情報で識別されるデバイスが接続されているデバイス制御装置に対して、当該制御情報を送信する制御情報送信ステップと、
を備えることを特徴とする制御方法。
【請求項１３】
デバイス個体情報取得手段が前記デバイス制御装置から、当該デバイス制御装置にローカル接続されたデバイスの個体を識別するためのデバイス個体情報を取得するデバイス個体情報取得ステップと、
監視情報特定手段が前記情報記憶手段に記憶された前記デバイスの状態変化を監視するためのトリガ検知アルゴリズム及び定義ファイルの少なくとも一方の中から、前記デバイス個体情報取得ステップで取得した前記デバイス個体情報によって識別される特定のデバイスに適う前記トリガ検知アルゴリズム及び前記定義ファイルの少なくとも一方を特定する監視情報特定ステップと、
監視情報送信手段が前記監視情報特定ステップで特定された前記トリガ検知アルゴリズム及び前記定義ファイルの少なくとも一方を前記デバイス制御装置に送信する監視情報送信ステップと、を更に備えることを特徴とする請求項１２に記載の制御方法。
【手続補正２】
【補正対象書類名】明細書
【補正対象項目名】０００７
【補正方法】変更
【補正の内容】
【０００７】
上記の課題を解決するために、請求項１に記載のデバイス制御装置は、自装置にローカル接続された第一のデバイスの状態変化を監視するためのトリガ検知アルゴリズム及び／又は定義ファイルに基づいて、当該第一のデバイスを監視するデバイス監視手段と、前記デバイス監視手段によって、前記第一のデバイスの状態変化を検知した場合、当該検知を示すトリガ通知を、ネットワークを介して接続されている情報管理装置に送信するトリガ通知送信手段と、前記トリガ通知を受信した情報管理装置からの接続要求に応じて当該情報管理装置との第１のセッションを開始する第１のセッション制御手段と、前記状態変化を検知した第一のデバイスから前記第１のセッションを介してユーザを特定するための固有情報であるユーザＩＤを取得するユーザＩＤ取得手段と、前記ユーザＩＤ取得手段で取得した前記ユーザＩＤを前記第１のセッションを介して前記情報管理装置に対して送信するユーザＩＤ送信手段と、前記ユーザＩＤと関連付けられた制御情報であって、ネットワークを介して接続されているクライアント装置を識別するための第一の識別情報及び当該クライアント装置が制御する第二のデバイスを識別するための第二の識別情報を含んだ制御情報を、前記情報管理装置から取得する制御情報取得手段と、前記制御情報取得手段で取得した制御情報の第一の識別情報によって識別したクライアント装置に対して、当該制御情報の第二の識別情報を含んだ接続要求を生成して送信する接続要求手段と、前記接続要求を受信したクライアント装置からの接続開始要求に応じて、当該クライアント装置との第２のセッションの制御を開始する第２のセッション制御手段とを備えることを特徴とする。